Podtech/llm-jp-corpus-v4-ja_patent huggingface dataset:
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
ダンネージ転換機のための原材料であって、
弱化地域の複数の横方向に延在する長手に離間した列を有する少なくとも１つの層のシート状材料を含み、前記弱化地域は、前記シート状材料の隣接部分に対して減少された強度を有し、前記弱化地域の各列は、前記列に沿って変化する少なくとも１つのパラメータを有することによって、前記列での当該原材料の強度は、前記列に亘って加えられる力に応答して、当該原材料に亘って変化し、各層は、実質的に弱化地域がない横方向縁部を有し、少なくとも１つの層は、紙を含む、
原材料。
【請求項２】
変化する前記少なくとも１つのパラメータは、各弱化地域が弱化される方法、各弱化地域が弱化される程度、前記列内の前記弱化地域の間隔、前記列内の各弱化地域のサイズ、前記列内の各弱化地域の形状、又は、前記列内の各弱化地域の向きのうちの少なくとも１つを含む、請求項１に記載の原材料。
【請求項３】
当該原材料の少なくとも１つの縁部は、前記弱化地域の各列に沿って約０．６センチメートルから３．８センチメートル（約1/4インチから１1/2インチ）について穿孔がない、請求項１に記載の原材料。
【請求項４】
前記弱化地域は、１つ又はそれよりも多くの穿孔を含み、少なくとも２つの異なる列内の前記穿孔は、異なるパラメータを有する、請求項１に記載の原材料。
【請求項５】
請求項１に記載の原材料と、ダンネージ製品の分離を容易化する、各列に沿う引裂き線を有する、前記原材料を比較的より低密度のダンネージのストリップに転換するためのダンネージ転換機との組み合わせ。
【請求項６】
請求項１に記載の原材料を提供するステップと、
前記原材料をダンネージのストリップに転換するステップと、
弱化地域の列に沿って前記ストリップから別個のダンネージ製品を分離するステップとを含む、
ダンネージ製品を生成する方法。
【請求項７】
ダンネージ転換機のための原材料を生成する方法であって、
弱化地域の複数の横方向に延在する長手に離間される列を形成するために、紙の少なくとも１つの層を有するシート状原材料を弱化するステップを含み、前記弱化地域は、前記シート状材料の隣接部分に対して減少された強度を有し、前記弱化地域の各列は、前記列に沿って変化する少なくとも１つのパラメータを有することによって、前記列での前記原材料の強度は、力が前記列を横断する方向に加えられるときに、前記原材料に亘って変化し、各層は、実質的に弱化地域がない横方向縁部を有する、
方法。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
少なくとも一つの電極を含む埋設可能なリードと共に使用される神経刺激システムであって、
リードコネクターを含むパルス発生器と；
該リードコネクターに動作可能に接続され、少なくとも一つのリード電極の近傍の組織アーチファクトデータを測定して、基礎アーチファクトデータ値を定め、かつ、後続のある時点において、前記少なくとも一つのリード電極の近傍の組織の組織アーチファクトデータを測定して、後続アーチファクトデータ値を定める回路と；
前記後続インピーダンス値を前記基礎アーチファクトデータ値と比較することによって、前記埋設可能なリードが移動したかどうかを決定し、かつ、アーチファクト性データ値に基づいて傾向的基礎アーチファクトデータ値を生成する回路と、
を具えることを特徴とする神経刺激システム。
【請求項２】
前記アーチファクトデータは、インピーダンスであることを特徴とする請求項１に記載の神経刺激システム。
【請求項３】
前記少なくとも一つのリード電極が複数のリード電極を具え；
前記測定する回路が、前記複数のリード電極の近傍の組織のインピーダンスを測定して、それぞれの基礎インピーダンス値を定め、かつ、後続のある時点において、前記複数のリード電極それぞれの近傍の組織のインピーダンスを測定して、後続インピーダンス値を定める回路を具え；
前記決定する回路が、前記後続インピーダンス値を前記基礎インピーダンス値と比較することによって、前記埋設可能なリードが移動したかどうかを決定するための回路を具えることを特徴とする請求項２に記載の神経刺激システム。
【請求項４】
前記アーチファクトデータは、誘発電位であることを特徴とする請求項１に記載の神経刺激システム。
【請求項５】
前記測定する回路は、埋設可能なリードの第１電極と、第２及び第３電極と関連する基礎誘発電位測定値を得、かつ、第１、第２および第３電極と関連する後続誘発電位測定値を得る回路を有し、
決定する回路は、埋設可能リードが、後続誘発電位測定値を基礎誘発電位測定値に対して比較することによって移動したかを決定する回路を有することを特徴とする請求項４に記載の神経刺激システム。
【請求項６】
前記決定する回路が、移動の方向および大きさを決定する回路を具えることを特徴とする請求項１に記載の神経刺激システム。
【請求項７】
プログラムされた治療処方に従って治療パルスを供給し、前記埋設可能なリードが移動したという決定に応じて該プログラムされた治療処方を調整するための回路をさらに具えることを特徴とする請求項１に記載の神経刺激システム。
【請求項８】
前記少なくとも一つの電極が複数のリード電極を具え、
該複数のリード電極の内のどれが、前記埋設可能なリードが移動したという決定に応じて治療パルスを受容するのかを調整するための回路をさらに具えることを特徴とする請求項７に記載の神経刺激システム。
【請求項９】
傾向的基礎アーチファクトデータ値は、基礎アーチファクトデータ値と、後続のアーチファクトデータ値との間の差に基づくことを特徴とする請求項１に記載の神経刺激システム。
【請求項１０】
傾向的基礎アーチファクトデータ値は、前記差が比較的小さい場合には、基礎アーチファクトデータ値を新たな基礎アーチファクトデータ値で置き換えることによって、また、前記差が比較的大きい場合には、基礎アーチファクトデータ値を維持することによって生成されることを特徴とする請求項９に記載の神経刺激システム。
【請求項１１】
新たな基礎アーチファクトデータ値は、後続基礎アーチファクトデータ値であることを特徴とする請求項１０に記載の神経刺激システム。
【請求項１２】
新たな基礎アーチファクトデータ値は、基礎アーチファクトデータ値と後続基礎アーチファクトデータ値との平均値であることを特徴とする請求項１０に記載の神経刺激システム。
【請求項１３】
傾向基礎アーチファクトデータ値は、基礎アーチファクトデータ値と後続基礎アーチファクトデータ値を含む移動平均であることを特徴とする請求項１記載の神経刺激システム。
【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
近位端及び遠位端を有するリード本体（２１）と、
前記近位端から前記遠位端へ通り抜ける導体（５４）と、
前記リード本体の前記遠位端に配置され、心臓を電気的に刺激するようになされた前記導体に電気的に結合された電極（６６）と、
前記リード本体の前記遠位端に配置され、前記心臓の穿刺を覆うようになされた形で前記電極によって支持された閉塞ファブリック（１０４）と、を備え、
前記電極が前記閉塞ファブリックのために上反りのファブリック支持体構造（７０）を形成し、
前記電極（６６）が上反り式で外側に延びる脚（７４）を有する中央部（７２）を有する医用電気的リード。
【請求項２】
請求項１に記載のリードにおいて、前記閉塞ファブリック（１０４）が、前記上反りのファブリック支持体構造（７０）に作動可能に結合し且つ折畳み式蓋を有する、リード。
【請求項３】
請求項２に記載のリードにおいて、前記医用リードの植込みの間、前記上反りのファブリック支持体構造（７０）によって覆われる歯（２０２）を更に備える、リード。
【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
ゲーム機器をモニタリングし制御する方法であって、
一意のパーソナル・デバイスを提供する工程と、
ゲーム端末で前記一意のパーソナル・デバイスを使用してプレーヤの識別を検証する工程と、
前記一意のパーソナル・デバイスから受信された情報に応じて前記ゲーム端末を動作させるかまたは前記ゲーム端末を動作させない工程と
を含む方法。
【請求項２】
前記プレーヤに対して、所与の時間内にプレイされるべき最大金額を許可するロス−リミットを設定する工程であって、前記一意のパーソナル・デバイスから受信された前記情報が前記ロス−リミットを含む工程をさらに含む、請求項１に記載の方法。
【請求項３】
前記プレーヤの識別を検証する工程が前記プレーヤからのバイオメトリック・データを検証する工程をさらに含む、請求項１に記載の方法。
【請求項４】
前記プレーヤの識別を検証する前記工程が個人識別番号を検証する工程を含む、請求項１に記載の方法。
【請求項５】
前記一意のパーソナル・デバイスが、スマートカード、磁気ストライプをもつカード、ポータブル・メモリ・スティック、または無線周波数デバイスのうちの１つである、請求項１に記載の方法。
【請求項６】
識別データを含む一意のパーソナル・デバイスと、
ゲーム端末および前記一意のパーソナル・デバイスにインターフェースするように構成されたデバイス・リーダと、
前記デバイス・リーダからのデータおよび前記一意のパーソナル・デバイスに記憶されているデータを読み取り、前記デバイス・リーダおよび一意のパーソナル・デバイスから受信されたデータによって前記ゲーム端末の使用を承認する、前記デバイス・リーダに動作可能に接続されたプロセッサと
を含むゲーム・モニタおよび制御デバイス。
【請求項７】
前記一意のパーソナル・デバイスから受信された前記データが、所与の時間内にプレイされるべき最大金額を許可するロス−リミットを含む、請求項６に記載のデバイス。
【請求項８】
前記プレーヤからのバイオメトリック・データを検証するバイオメトリック・リーダをさらに含む、請求項６に記載のデバイス。
【請求項９】
前記バイオメトリック・データが、指紋、目のスキャン、または顔認識のうちの１つである、請求項８に記載のデバイス。
【請求項１０】
データを識別する前記工程が個人識別番号を含む、請求項６に記載のデバイス。
【請求項１１】
前記一意のパーソナル・デバイスが、磁気ストライプをもつカード、スマートカード、ポータブル・メモリ・スティック、または無線周波数デバイスのうちの１つである、請求項６に記載のデバイス。
【請求項１２】
規制された品物およびサービスの使用をモニタリングし制御する方法であって、
一意のパーソナル・デバイスを提供する工程と、
品物およびサービスの端末で前記一意のパーソナル・デバイスを使用して購入者の識別を検証する工程と、
前記一意のパーソナル・デバイスから受信された情報に応じて前記品物およびサービスの端末を動作させるかまたは前記品物およびサービスの端末を動作させない工程と
を含む方法。
【請求項１３】
所与の時間内に前記品物およびサービスに使われるべき最高金額を許可する前記購入者に対するリミットを設定する工程であって、前記一意のパーソナル・デバイスから受信された前記情報が前記リミットを含む工程をさらに含む、請求項１２に記載の方法。
【請求項１４】
前記品物およびサービスの端末が、ゲーム端末、ビデオ・ポーカー端末、くじ端末、キノ端末、ペイ−パー−プレイ端末、タバコ販売機、アルコール飲料販売機のうちの１つを含む、請求項１３に記載の方法。
【請求項１５】
前記購入者の識別を検証する前記工程が、個人識別番号、指紋スキャン、目のスキャン、顔認識スキャンのうちの１つを含む、請求項１２に記載の方法。
【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
埋め込み可能医療デバイス（ＩＭＤ）であって、
該埋め込み可能医療デバイスを制御すると共に、心房ベースペーシングモード又は２腔ベースペーシングモードで該埋め込み可能医療デバイスを選択的に動作させるための心室ペーシングプロトコルモジュールを含む処理ユニットと、
前記処理ユニットの制御下で、心臓ペーシングを選択的に提供するパルス発生器と、
前記処理ユニットと通信可能に結合する内因性伝導性チェックモジュール(intrinsic conduction checking module)であって、前記２腔ベースペーシングモードで動作するときに、前記処理ユニットが伝導性チェックを実施するようにさせ、該伝導性チェックは所定のパターンに従って起こる、内因性伝導性チェックモジュールと
を備える、埋め込み可能医療デバイス。
【請求項２】
内因性伝導が存在する場合に心房ベースペーシングモードで、内因性伝導が存在しない場合に心室ペーシングプロトコルに従って２腔ペーシングモードで、心臓ペーシング能力を有する埋め込み可能医療デバイスを動作させること、
前記２腔ペーシングモードで動作しながら、所定の間隔で伝導性チェックを実施することであって、前記所定の間隔は、順次の不首尾の伝導性チェックについて提供される所定のパターンに従って変動し、該所定のパターンは、初期の最小間隔及び最大間隔を含む、実施すること、及び
前記最大間隔に達するまで、前記不首尾の伝導性チェックのそれぞれによって、前記所定のパターンから後続の間隔を選択すること
を含む、方法。
【請求項３】
埋め込み可能医療デバイスであって、
心室ペーシングプロトコルに従ってペーシングを提供する手段と、
最大間隔において日周期分化を提供する所定のパターンに従って伝導性チェックを実施する手段と
を備える、埋め込み可能医療デバイス。
【手続補正書】
【提出日】平成21年1月14日(2009.1.14)
【手続補正１】
【補正対象書類名】特許請求の範囲
【補正対象項目名】請求項１
【補正方法】変更
【補正の内容】
【請求項１】
眼科手術の間、安定した高真空を実現する装置であって、上記装置は、
真空源に接続され、外科手術用のハンドピースから排液タンクまで流体の流れを可能とするように形成された主吸引配管と、
上記主吸引配管と連通して配置され、その配管部の中に内径制限部を有する第１の配管部と、
上記主吸引配管と連通して上記第１の配管部と略平行に配置され、上記内径制限部の断面積より大きい断面積を有する第２の配管部と、
上記第２の配管部に配置され、上記外科手術用のハンドピースにおける閉塞を取り除くことにより上記主吸引配管での真空の急上昇を制限するために上記第１及び第２の配管部を流れる流量を制御するように形成されたバルブとを備える装置。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
脊柱を安定させるために前記脊柱の２つの椎骨間に挿入するプロテーゼ装置であって、
胴体部材と、
前記椎骨のうちの少なくとも一方の椎骨の棘突起を受けるために前記胴体部材に形成された少なくとも１つの切欠き部分と、
前記椎骨のうちの一方の椎骨と係合するために前記胴体部材に形成された少なくとも１つの溝と
を含むプロテーゼ装置。
【請求項２】
前記溝が、前記一方の椎骨の対応する縁を取り巻いて延びる、請求項１に記載のプロテーゼ装置。
【請求項３】
前記溝が、前記一方の椎骨の椎弓板の対応する縁を取り巻いて延びる、請求項２に記載のプロテーゼ装置。
【請求項４】
前記溝が、前記一方の椎骨の隆線を取り巻いて延びる、請求項２に記載のプロテーゼ装置。
【請求項５】
前記溝が、前記隆線の下に延びるタブを画定する、請求項４に記載のプロテーゼ装置。
【請求項６】
前記椎骨とそれぞれ係合する２つの溝がある、請求項１に記載のプロテーゼ装置。
【請求項７】
前記溝の一方が、前記一方の椎骨の対応する縁を取り巻いて延びる、請求項６に記載のプロテーゼ装置。
【請求項８】
前記一方の溝が、前記一方の椎骨の椎弓板の対応する縁を取り巻いて延びる、請求項７に記載のプロテーゼ装置。
【請求項９】
もう一方の溝が、もう一方の椎骨の隆線を取り巻いて延びる、請求項７に記載のプロテーゼ装置。
【請求項１０】
もう一方の溝が、前記隆線の下に延びるタブを画定する、請求項９に記載のプロテーゼ装置。
【請求項１１】
前記胴体部材のそれぞれの端部に、前記２つの椎骨の棘突起をそれぞれ受ける２つの切欠き部分が設けられている、請求項１に記載のプロテーゼ装置。
【請求項１２】
前記胴体部材のそれぞれの端部に形成された２つの溝も備える、請求項１１に記載のプロテーゼ装置。
【請求項１３】
前記切欠き部分が前記胴体部材の上側に形成され、前記溝が前記胴体部材の下側に形成された、請求項１２に記載のプロテーゼ装置。
【請求項１４】
前記少なくとも１つの切欠き部分が前記胴体部材に対して縦方向に延び、前記少なくとも１つの溝が前記胴体部材に対して横方向に延びる、請求項１に記載のプロテーゼ装置。
【手続補正２】
【補正対象書類名】明細書
【補正対象項目名】０００７
【補正方法】変更
【補正の内容】
【０００７】
図１および２を参照すると、参照符号１０は人間の脊柱１０の全体を指す。脊柱１０の下部が示されており、この部分は、腰部１２、仙骨１４および尾骨１６を含む。胸部および頸部を含む脊柱１０の柔軟で軟かい部分は示されていない。
【手続補正３】
【補正対象書類名】明細書
【補正対象項目名】０００９
【補正方法】変更
【補正の内容】
【０００９】
仙骨１４は５つの癒合椎骨を含み、そのうちの１つが、円板Ｄ５によって椎骨Ｖ５から分離された上椎骨Ｖ６である。仙骨１４の他の４つの癒合椎骨はひとまとめにしてＶ７と呼ばれる。円板Ｄ６が、４つの癒合椎骨（符号は付けられていない）を含む尾骨１６から仙骨１４を分離する。
【手続補正４】
【補正対象書類名】明細書
【補正対象項目名】００１２
【補正方法】変更
【補正の内容】
【００１２】
図４を参照する。前述の１つまたは複数の理由のため、椎骨Ｖ５およびＶ６が円板Ｄ５によって十分に支えられておらず、したがって、これらの椎骨の補足的な支持および安定化を提供する必要があると仮定する。この目的のため、椎骨Ｖ５の棘突起２２と椎骨Ｖ６の仙骨稜ないし棘突起３２ａの間に、本発明の一実施形態に基づく椎間円板プロテーゼ装置４０を埋入する。
【手続補正５】
【補正対象書類名】明細書
【補正対象項目名】００１６
【補正方法】変更
【補正の内容】
【００１６】
図４を参照すると、椎骨Ｖ５と椎骨Ｖ６の間に装置４０が挿入されており、椎骨Ｖ５の棘突起２２が胴体部材４２の切欠き部分４２ａの中に延び、椎骨Ｖ６の仙骨稜ないし棘突起３２ａが胴体部材の切欠き部分４２ｂの中に延びている。したがって溝４２ｃ（図５および７）は上方に延び、椎骨Ｖ５の椎弓板２０ａおよび２０ｂ（図３）の対応する縁を取り巻いて延び、溝４２ｄは下方に延び、椎骨Ｖ６の隆線３４（図２）を取り巻いてぴったりと合い、タブ４２ｅは椎骨Ｖ６の隆線の下に延びる。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
歯科矯正装具のインダイレクトボンディングにおいて使用するためのトランスファー装置であって、
チャネルを有するトレー；
前記チャネル内で受けられるマトリックス材料；
前記マトリックス材料に取り外し式で連結される少なくとも１つの歯科矯正装具であって、前記マトリックス材料は第１のショア硬度を有する歯科矯正装具；そして
前記チャネルの隣に配置される少なくとも１つの停止部材であって、それぞれが、前記第１のショア硬度を超える第２のショア硬度を有する高分子熱硬化性材料を備え、前記歯列弓と接触するように前記マトリックス材料の隣へと延びる停止部材
を備える前記トランスファー装置。
【手続補正書】
【提出日】平成21年4月6日(2009.4.6)
【手続補正１】
【補正対象書類名】特許請求の範囲
【補正対象項目名】請求項２
【補正方法】変更
【補正の内容】
【請求項２】
雄型部材（１０，１０´，１０´´、５０，５０´）の前記支承面が支承溝または支承リブとして構成され、これらが、雄型部材の二つの長手方向溝または長手方向リブと一緒に安定化溝（２０）または安定化リブを形成し、該安定化溝または安定化リブが隣接部（１１，１１´，１１´´，５１，５１´）の一方の長手方向側面（２１ａ）から、隣接部の咬合側（２１ｂ）を経て、隣接部の他方の長手方向側面（２１ｃ）まで延在しており、
雌型部材の前記支持面が支持リブまたは支持溝として構成され、該支持リブまたは支持溝が前記支承溝または支承リブと互いに形状接続され、また
該支持リブまたは支持溝が、好ましくは、雌型部材（２５，６５）の二つの前記長手溝または前記長手リブと共に安定化リブ（３０）または安定化溝を形成し、
前記安定化リブが、雌型部材の一方の長手方向側面（３１ａ）から、雌型部材の咬合側を経て、雌型部材の他方の長手方向側面（３１ｃ）まで延在している請求項１に記載された歯冠外アッタチメント。
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
以下の工程を含む、身体の少なくとも一部の手術後像の予測を手術前に得るための方法：
−  身体の少なくとも一部の３Ｄ手術前モデルを決定する；
−  一つ以上の観察位置からの前記身体の少なくとも一部の手術前２Ｄ写真を取得する；
−  前記３Ｄ手術前モデルを前記手術前２Ｄ写真と一致させる；
−  前記３Ｄ手術前モデルを変形するための変形範囲を決定する、そして
−  前記身体の少なくとも一部の３Ｄ手術後モデルの予測された手術後像を導出する、但し前記予測された手術後像は前記変形範囲を使用して前記手術前２Ｄ写真を変形することによって得られる２Ｄ写真である。
【請求項２】
前記予測された手術後像が３Ｄ表面レンダリングである請求項１に記載の方法。
【請求項３】
複数の手術前２Ｄ写真が取得される請求項１又は２に記載の方法。
【請求項４】
前記身体の少なくとも一部の少なくとも輪郭の３Ｄ手術前表面メッシュを前記３Ｄ手術前描写から生成する工程をさらに含む請求項１〜３のいずれかに記載の方法。
【請求項５】
前記予測された像を導出する工程が前記身体の少なくとも一部の少なくとも前記輪郭の３Ｄ手術後表面メッシュの予測を前記３Ｄ手術前表面メッシュから導出することを含む請求項４に記載の方法。
【請求項６】
前記輪郭の予測が前記変形範囲の決定において使用される請求項５に記載の方法。
【請求項７】
前記３Ｄ手術前モデルが３Ｄ像取得システムを使用して得られる請求項１〜６のいずれかに記載の方法。
【請求項８】
前記３Ｄ像取得システムがコンピュータ断層撮影システム、磁気共鳴画像診断システム又は３Ｄ写真システムである請求項７に記載の方法。
【請求項９】
前記一致させる工程が前記３Ｄ手術前モデル及び前記２Ｄ手術前写真上の一組の対応する点によって実施される請求項１〜８のいずれかに記載の方法。
【請求項１０】
前記一致させる工程が前記手術前２Ｄ写真から導出される特徴と前記３Ｄ手術前モデルから導出される特徴の間の対応を計量的に表現することによって実施される請求項１〜８のいずれかに記載の方法。
【請求項１１】
較正対象の写真をとる工程をさらに含む請求項１〜１０のいずれかに記載の方法。
【請求項１２】
前記較正対象の前記写真がカメラを較正するために使用され、前記カメラが前記少なくとも一つの手術前２Ｄ写真を取得するために使用される請求項１１に記載の方法。
【請求項１３】
前記一致させる工程の後、前記一致させた手術前２Ｄ写真から３Ｄ視覚化のためのテクスチャマップを作成する工程が実施される請求項３〜１２のいずれかに記載の方法。
【請求項１４】
前記３Ｄ手術前モデルが前記身体の少なくとも一部の軟組織描写を含む請求項１〜１３のいずれかに記載の方法。
【請求項１５】
前記身体の少なくとも一部の前記３Ｄ手術前モデルが前記身体の少なくとも一部の内部構造についての情報を含む請求項１〜１４のいずれかに記載の方法。
【請求項１６】
以下のものを含む、身体の少なくとも一部の予測された手術後像を手術前に示すための手術計画システム：
−  身体の少なくとも一部の３Ｄ手術前モデルを決定するための手段；
−  前記３Ｄ手術前モデルを前記身体の少なくとも一部の２Ｄ手術前写真と一致させるための手段；
−  前記３Ｄ手術前モデルを変形するために変形範囲を決定するため及び前記身体の少なくとも一部の３Ｄ手術後モデルの予測された手術後像を導出するための計算手段、但し前記予測された手術後像は前記変形範囲を使用して前記手術前２Ｄ写真を変形することによって得られる予測された手術後２Ｄ写真である、及び
−  前記予測された手術後像を示すための表示手段。
【請求項１７】
前記予測された手術後像が３Ｄ像である請求項１６に記載の手術計画システム。
【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
２個の側方部材（２１）及び座板（２０）を備えた椅子（２）用の留め具用ブラケット（１）であって、
互いに上下に平行に置かれかつ前側ピース（１２）及び後側ピース（１３）によりそれぞれ前端部及び後端部において結合されている上方ビーム（１０）及び下方ビーム（１１）を有し、前記ピースはビーム（１０、１１）の間を形成する第１のスペースの外側であることを特徴とし、
前記第１のスペースは座板（２０）の側方の縁を受け入れ、更に前側ピース（１２）と後側ピース（１３）との間を形成する第２のスペースが椅子（２）の側方部材（２１）を受け入れ、そしてブラケットが少なくも１個の留め具（１４）を備える留め具用ブラケット。
【請求項２】
留め具（１４）が、目玉状留め具、スナップフック、ループ又はその他の留め具であり、好ましくは、目玉状留め具であることを特徴とする請求項１による留め具用ブラケット。
【請求項３】
留め具が、後側ピース又は前側ピース（１２、１３）の上側、下側、又は側部に、或いはビーム（１０、１１）の外側に、好ましくは後側ピース（１３）の上側に置かれることを特徴とする請求項１又は２による留め具用ブラケット。
【請求項４】
前側ピース及び後側ピース（１２、１３）の一方又は双方が、ネジ、ボルト又はクリップのような、ビーム（１０、１１）を一緒に結合する固定用具より完全に又は部分的に作り上げられることを特徴とする請求項１から３のいずれか１による留め具用ブラケット。
【請求項５】
ブラケットが１個の連続した部材よりなることを特徴とする請求項１から４のいずれか１による留め具用ブラケット。
【請求項６】
前側ピース（１２）及び／又は後側ピース（１３）が、椅子（２）の座板（２０）の縁の形状に従うことを特徴とする請求項１から５のいずれか１による留め具用ブラケット。
【請求項７】
側方部材（２１）が縦斜めであるとき、前側ピース（１２）及び／又は後側ピース（１３）が、前記側方部材（２１）と同じ角度で縦斜めであることを特徴とする請求項１から６のいずれか１による留め具用ブラケット。
【請求項８】
側方部材（２１）に当たっている前側ピース（１２）、後側ピース（１３）及び水平方向部材（１０、１１）が、側方部材（２１）の縁の形状に従うことを特徴とする請求項１から７のいずれか１による留め具用ブラケット。
【請求項９】
請求項１から８のいずれか１による２個の対称的な留め具用ブラケットを備えることを特徴とする椅子用の組立キット。
【請求項１０】
高さと奥行きが調整可能な座板と足置きとを有し、これらを椅子の側方部材の種々の溝の中に滑り込ませることができる椅子のような子供用椅子における安全ハーネスの設置のための、請求項１から８のいずれか１による留め具用ブラケット又は請求項９による組立キットの使用。
【手続補正２】
【補正対象書類名】明細書
【補正対象項目名】０００５
【補正方法】変更
【補正の内容】
【０００５】
これは、早くも１９７２１９７６(R)（Ｔｒｉｐｐ  Ｔ‘ｒａｐｐ(R)）の事例であり、これは今なお多くの国で非常に評判のよい子供用椅子である。ノルウェー特許第１３２，７８２号は上記した椅子を記載しているが、安全性が確保されてなく、ハーネスを固着するためのブラケットが記載されている。この椅子は、子供の体格に合わせて調整できるように設計され、座席と足置きとを持ち、これらを側方部材の溝の中に滑り込ませることにより種々の高さ位置に動かすことができ、かつ側方部材間の距離を確りきめることにより固定される。座板は、更に背もたれに関して滑らせて奥行き位置を調整することができ、これにより、椅子を使用する子供に確りした状態において正確な座席の長さを提供する。
【手続補正書】
【提出日】平成21年1月16日(2009.1.16)
【手続補正１】
【補正対象書類名】明細書
【補正対象項目名】００１５
【補正方法】変更
【補正の内容】
【００１５】
本発明によれば、子宮腔内に比較的長期間挿入される改良された超音波的に検知可能な子宮内用システム（intrauterine system, ＩＵＳ）が提供される。本発明によるＩＵＳは、該システムの超音波画像形成を改善するための少なくとも１つの画像質向上手段を有している。該画像質向上手段は、
（ａ）子宮内用システムのボディー（body）に固定され且つ少なくとも一部が該ボディーに埋設されている少なくとも１つの不活性金属製のクリップ（clip）、ピン（pin）、リング（ring）及び／又はスリーブ（sleeve）、ならびに 
（ｂ）子宮内用システムのボディーの垂直腕に通常のループの代りに固定された金属製ループ又は金属被覆を有するループ、 
よりなる群から選ばれる。
【手続補正２】
【補正対象書類名】明細書
【補正対象項目名】００４０
【補正方法】変更
【補正の内容】
【００４０】
本発明の子宮内用システムは、該システムの超音波画像形成を改善するための少なくとも１つの画像質向上手段を有している。該画像質向上手段は、
（ａ）子宮内用システムのボディー（body）に固定され且つ少なくとも一部が該ボディーに埋設されている少なくとも１つの不活性金属製のクリップ（clip）、ピン（pin）、リング（ring）及び／又はスリーブ（sleeve）、ならびに 
（ｂ）子宮内用システムのボディーの垂直腕に通常のループの代りに固定された金属製ループ又は金属被覆を有するループ、 
よりなる群から選ばれる。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
再灌流傷害および再灌流障害の予防および／または処置方法であって、式（Ｉ）
【化１】
2008534453.tif 000001
［式中、
Ａは、−Ｏ−Ｒ２または−ＮＨ−Ｃ（＝Ｏ）−Ｒ３を表し、
Ｒ１は、ＣＨ２−Ｃ（＝Ｏ）−ＮＨ２、ピリジルまたはチアゾリルを表し、
Ｒ２は、水素または（Ｃ３−Ｃ６）−シクロアルキルメチルを表し、
そして、
Ｒ３は、（Ｃ１−Ｃ４）−アルキル、（Ｃ１−Ｃ４）−アルコキシ、モノ−またはジ−（Ｃ１−Ｃ４）−アルキルアミノを表す］
の化合物並びにそれらの塩、水和物、塩の水和物および溶媒和物の有効量を、それを必要としている対象に投与することを含む、方法。
【請求項２】
式中、
Ａが−Ｏ−Ｒ２または−ＮＨ−Ｃ（＝Ｏ）−Ｒ３を表し、
Ｒ１が、ＣＨ２−Ｃ（＝Ｏ）−ＮＨ２、ピリジルまたはチアゾリルを表し、
Ｒ２が、水素またはシクロプロピルメチルを表し、
そして、
Ｒ３が、メチル、エチル、ｎ−プロピル、イソプロピル、ｎ−ブチル、ｓｅｃ−ブチル、イソブチルまたはｔｅｒｔ.−ブチルを表す、
式（Ｉ）の化合物並びにそれらの塩、水和物、塩の水和物および溶媒和物の有効量を、それを必要としている対象に投与することを含む、請求項１に記載の方法。
【請求項３】
式（Ｉ−Ａ）
【化２】
2008534453.tif 000002
の化合物並びにその塩、水和物、塩の水和物および溶媒和物の有効量を、それを必要としている対象に投与することを含む、請求項１に記載の方法。
【請求項４】
式（Ｉ−Ｂ）
【化３】
2008534453.tif 000003
の化合物並びにその塩、水和物、塩の水和物および溶媒和物の有効量を、それを必要としている対象に投与することを含む、請求項１に記載の方法。
【請求項５】
式（Ｉ−Ｃ）
【化４】
2008534453.tif 000004
［式中、
Ａは、−Ｏ−Ｒ２を表し、
Ｒ１は、ＣＨ２−Ｃ（＝Ｏ）−ＮＨ２、ピリジルまたはチアゾリルを表し、
そして、
Ｒ２は、（Ｃ３−Ｃ６）−シクロアルキルメチルを表す］
の化合物並びにそれらの塩、水和物、塩の水和物および溶媒和物。
【請求項６】
式中、
Ａが、−Ｏ−Ｒ２を表し、
Ｒ１が、ＣＨ２−Ｃ（＝Ｏ）−ＮＨ２、ピリジルまたはチアゾリルを表し、
そして、
Ｒ２が、シクロプロピルメチルを表す、
請求項５に記載の式（Ｉ−Ｃ）の化合物およびそれらの塩、水和物、塩の水和物および溶媒和物。
【請求項７】
式（Ｉ−Ｂ）
【化５】
2008534453.tif 000005
の、請求項５および請求項６のいずれかに記載の化合物およびその塩、水和物、塩の水和物および溶媒和物。
【請求項８】
請求項５ないし請求項７のいずれかに記載の少なくとも１種の化合物並びに常套の補助剤および添加物を含む、医薬組成物。
【請求項９】
請求項５ないし請求項７のいずれかに記載の少なくとも１種の化合物を含む医薬の製造方法であって、常套の補助剤および添加物を使用して、活性化合物を適する投与形に変換する、方法。
【請求項１０】
医薬が経口使用のためのものである、請求項１ないし請求項４のいずれかに記載の方法。
【請求項１１】
医薬が予防的使用のためのものである、請求項１ないし請求項５のいずれかに記載の方法。
【請求項１２】
請求項１ないし請求項４のいずれかに記載の、一般式（Ｉ）の化合物による再灌流傷害および／または再灌流障害の予防および／または処置方法。
【請求項１３】
請求項１ないし請求項４のいずれかに記載の一般式（Ｉ）の化合物を含有する、再灌流傷害および再灌流障害の処置用の医薬組成物。
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
トロンボキサン受容体拮抗薬及びトロンボキサンシンターゼ阻害薬の組み合わせ及びCOX-2阻害薬を含む、医薬組成物。
【請求項２】
トロンボキサン受容体拮抗薬及びトロンボキサンシンターゼ阻害薬の組み合わせが、テルボグレル又はその医薬的に許容される塩又はプロドラッグである、請求項１記載の医薬組成物。
【請求項３】
COX-2阻害薬が、セレコキシブ、ルミラコキシブ、エトドラク、エトリコキシブ、メロキシカム、ニメスリド、ロフェコキシブ、バルデコキシブ、及びそれらの全ての医薬的に許容される塩又はプロドラッグからなる群から選択される、請求項１又は２記載の医薬組成物。
【請求項４】
COX-2阻害薬が、メロキシカム、ルミラコキシブ、又はそれらの全ての医薬的に許容される塩又はプロドラッグである、請求項３記載の医薬組成物。
【請求項５】
少なくとも1種の医薬的に許容されるキャリア及び/又は賦形剤をさらに含む、請求項１〜４のいずれか１項に記載の医薬組成物。
【請求項６】
請求項１〜５のいずれか１項に記載の医薬組成物を含む、医薬投与形態。
【請求項７】
テルボグレル又はその医薬的に許容される塩及びメロキシカム又はその医薬的に許容される塩を含み、メロキシカム又はその医薬的に許容される塩の量が1〜30mgの範囲であり、且つテルボグレル又はその医薬的に許容される塩の量が10〜500mgの範囲である、1日に1度又は2度の経口投与のための、請求項６記載の医薬投与形態。
【請求項８】
テルボグレル又はその医薬的に許容される塩及びルミラコキシブ又はその医薬的に許容される塩を含み、ルミラコキシブ又はその医薬的に許容される塩の量が50〜800mgの範囲であり、且つテルボグレル又はその医薬的に許容される塩の量が10〜500mgの範囲である、1日に1度又は2度の経口投与のための、請求項６記載の医薬投与形態。
【請求項９】
患者における炎症、疼痛及び/又はリウマチ様疾患を含むシクロオキシゲナーゼ依存性障害、及び/又は腫瘍症の治療のための、請求項６、７又は８記載の医薬投与形態。
【請求項１０】
患者における炎症、疼痛及び/又はリウマチ様疾患を含むシクロオキシゲナーゼ依存性障害、及び/又は腫瘍症の治療のための薬剤の製造のための、請求項１〜５のいずれか１項に記載の医薬組成物の使用。
【請求項１１】
患者においてトロンボキサン受容体拮抗薬及びトロンボキサンシンターゼ阻害薬の組み合わせと併用される、炎症、疼痛及び/又はリウマチ様疾患を含むシクロオキシゲナーゼ依存性障害、及び/又は腫瘍症の治療のための薬剤の製造のための、COX-2阻害薬の使用。
【請求項１２】
COX-2阻害薬が投与される患者における有害な事故の治療又は予防のための薬剤の製造のための、トロンボキサン受容体拮抗薬及びトロンボキサンシンターゼ阻害薬の組み合わせの使用。
【請求項１３】
COX-2阻害薬が、セレコキシブ、ルミラコキシブ、エトドラク、エトリコキシブ、メロキシカム、ニメスリド、ロフェコキシブ、バルデコキシブ、及びそれらの全ての医薬的に許容される塩又はプロドラッグからなる群から選択される、請求項１１又は１２記載の使用。
【請求項１４】
トロンボキサン受容体拮抗薬及びトロンボキサンシンターゼ阻害薬の組み合わせが、テルボグレル又はその医薬的に許容される塩又はプロドラッグである、請求項１１又は１２記載の使用。
【請求項１５】
炎症、疼痛及び/又はリウマチ様疾患を含むシクロオキシゲナーゼ依存性障害が、胸焼け、骨関節症、リウマチ様関節炎、片頭痛、神経変性疾患、アルツハイマー病、骨粗鬆症、喘息、ループス、乾癬、急性疼痛、持続性疼痛からなる群から選択される、請求項１０〜１４のいずれか１項に記載の使用。
【請求項１６】
腫瘍症が、良性及び癌性の両方の腫瘍、増殖及びポリープを含むプロスタグランジンを生成する又はシクロオキシゲナーゼを発現する腫瘍症の群から選択される、請求項１０〜１４のいずれか１項に記載の使用。
【請求項１７】
患者が、1種以上の以下の状態、要求又は危険性によって特徴付けられるヒト個人である、請求項１０〜１６のいずれか１項に記載の使用:
-心血管性保護治療の要求;
-心血管性事故の危険性;
-高血圧性心疾患;
-鬱血性心不全及び他の虚血性疾患;
-樹立冠状動脈疾患;
-冠状動脈伝導障害、心臓不整脈;
-一過性虚血性発作、脳血管障害;
-末梢動脈疾患;
-血栓塞栓性障害の家族性病歴、又は遺伝的に羅漢しやすい血栓塞栓性障害;
-変性プロスタサイクリン/トロンボキサンA2ホメオスタシス又は通常より高いトロンボキサンA2濃度を有する患者;
-糖尿病及び/又はリウマチ様関節炎を有する患者;
-高血圧;
-腎不全又は腎不全状態、又は腎不全の危険性。
【請求項１８】
(a)トロンボキサン受容体拮抗薬及びトロンボキサンシンターゼ阻害薬の組み合わせ及び少なくとも1種の医薬的に許容されるキャリアを含む医薬組成物を含有する第一包含、及び
(b)COX-2阻害薬及び少なくとも1種の医薬的に許容されるキャリアを含む医薬組成物を含有する第二包含、
を含む部分キット。
【手続補正書】
【提出日】平成21年3月16日(2009.3.16)
【手続補正１】
【補正対象書類名】明細書
【補正対象項目名】００１４
【補正方法】変更
【補正の内容】
【００１４】
最後に、前記バインダーに関して、本発明の目的は、前記バインダーが、少なくとも二つの固体相を有し、より硬い相は、形状的に安定であり、より軟らかい相は、前記バインダーの融点未満の温度で可塑性であり容易に変形可能であることを特徴とする場合に、達成されるであろう。
即ち、本発明は、以下の通りの形態を含む：
［１］一方では、粒子状ないし顆粒状の材料を、他方では、前記材料の粒子ないし（顆粒）粒状物（grains）上に被膜として設けられるバインダーを含む材料組成物であって、
前記バインダーは、少なくとも二つの固体相を有し、当該固体相のうち一方のより硬い相は、形状的に安定（configuration stable）であり、より軟らかい相は可塑性でありかつ前記バインダーの融点未満の温度で容易に変形可能であることを特徴とする材料組成物。
［２］前記バインダーのより軟らかい相は、その融点から冷却する間において前記バインダーを混練した後に得られることを特徴とする［１］に記載の材料組成物。
［３］前記バインダーのより硬い相は、前記バインダーが機械的に影響を受けない間において、冷却された後に得られることを特徴とする［１］又は［２］に記載の材料組成物。
ここで、「硬い相は、前記バインダーが機械的に影響を受けない間において、冷却された後に得ることができる」とは、「硬い相は、前記バインダーが機械的な処理が全く行われない状態で、冷却された後に得ることができる」ことを意味する。
［４］前記バインダーは、合成ゴムである第一の成分を含むことを特徴とする［１］〜［３］の何れかに記載の材料組成物。
［５］前記バインダーの第二の成分は、ポリマー又はワックスであることを特徴とする［４］に記載の材料組成物。
［６］前記粒子状若しくは顆粒状の材料の粒子ないし粒状物（grains）の粒径は、０．０２〜０．５ｍｍ、好ましくは０．０５〜０．１５０ｍｍであることを特徴とする［１］〜［５］の何れかに記載の材料組成物。
［７］粒子状の材料又は顆粒状の材料と少なくとも二つの室温で固体である含有成分を含むバインダーとを含む材料組成物の製造方法であって、
前記バインダーに含まれる成分は、それぞれの融点超の温度まで加熱されて混合され、
前記バインダー組成物は、冷却中に混練され、
一方の固体、即ち可塑性であり、容易に変形可能である軟らかい相が前記バインダー組成物から得られることを特徴とする方法。
［８］前記粒子状の材料又は顆粒状の材料は、前記バインダーを冷却する間に、前記バインダーに混合されることを特徴とする［７］に記載の方法。
［９］前記粒子状の材料又は顆粒状の材料は、前記バインダーが流体相であるときに、前記バインダーに混合されることを特徴とする［７］に記載の方法。
［１０］望ましい形に形成された［１］〜［６］の何れかに記載の材料組成物の遊戯材料、教育材料、景観デザイン補助材、立体芸術品、原型、又は博物館の室内装飾用若しくは水族館の装飾用材料、工業デザイン用材料若しくは液体シーリング層としての使用。
［１１］前記砂状の材料組成物にその望ましい（立体）形状が与えられたときに、昇温及びその後の冷却によって少なくとも表層が硬化されることを特徴とする［１０］に記載の使用。
［１２］前記材料組成物は、その所望形状において、前記形状の表面に固定化剤（fixing agent）を施すことによって硬化されることを特徴とする［１０］又は［１１］に記載の使用。
［１３］少なくとも二つの成分を含む材料組成物のためのバインダーであって、
前記バインダーは、少なくとも二つの固体相を有し、当該固体相のうち一方のより硬い相は、形状的に安定であり、より軟らかい相は、可塑性で、前記バインダーの融点未満の温度で容易に変形可能であることを特徴とするバインダー。
［１４］より軟らかい相は、その融点から冷却する間において前記バインダーを混練した後に得られることを特徴とする［１３］に記載のバインダー。
［１５］より硬い相は、前記バインダーが物理的に影響を受けない間において、冷却された後に得られることを特徴とする［１３］又は［１４］に記載のバインダー。
［１６］第一の成分は、合成ゴムであることを特徴とする［１３］〜［１５］の何れかに記載のバインダー。
［１７］第二の成分は、ポリマー又はワックスであることを特徴とする［１６］に記載のバインダー。
なお、特許請求の範囲に付記した図面参照符号は、専ら理解を助けるためのものであり、図示の態様に限定することを意図するものではない。
【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
少なくとも８０モル％の二塩基酸ラジカル成分と、８０〜１００モル％の、２〜１０個の炭素原子を有するジオールから選択されるジオールラジカル成分と、０〜２０モル％の変性ジオールとを含んでなるポリエステル樹脂組成物、ならびに、ワックス、およびＡＢＳ成分を基剤とする重合体状変性剤から構成された成形材料であって、
前記成形材料が、成形材料の総重量に対して、３０〜９７重量％のポリエステル樹脂組成物、３．０重量％までのワックス、および１．５〜７０重量％の重合体状変性剤から構成され、
前記ＡＢＳ成分が、アクリロニトリル−ブタジエン−スチレン、アルファ−メチルスチレン−アクリロニトリル、および／またはスチレン−アクリロニトリル、またはこれらの変性された形態であり、
前記重合体状変性剤が、前記成形材料から製造されたフィルムの、粗さ（Ｒｚ値）、耐熱性および／または光沢、表面構造、または収縮プロファイル、を改善するものである、成形材料。
【請求項２】
つや消し剤を含んでなることを特徴とする、請求項１に記載の成形材料。
【請求項３】
前記ポリエステル樹脂組成物の比率が、成形材料の総重量に対して３３．４〜８８．８重量％であり、前記ワックスの比率が１〜２重量％であり、前記ＡＢＳ成分の比率が５〜６４重量％であり、植物油の比率が０〜０．６重量％であることを特徴とする、請求項１に記載の成形材料。
【請求項４】
前記ポリエステル樹脂組成物の比率が、成形材料の総重量に対して９０〜９７重量％であり、前記つや消し剤の比率が０．０〜１０重量％であり、前記ワックスの比率が１〜３重量％であることを特徴とする、請求項１または２に記載の成形材料。
【請求項５】
前記ワックスが、部分的に加水分解されたエステルワックスおよび／または飽和化された、分岐していない脂肪族モノカルボン酸、および／またはモンタンワックスを含んでなることを特徴とする、請求項３に記載の成形材料。
【請求項６】
前記モノカルボン酸が、ステアリン酸またはパルミチン酸であることを特徴とする、請求項５に記載の成形材料。
【請求項７】
前記植物油がエポキシ化された大豆油であることを特徴とする、請求項３に記載の成形材料。
【請求項８】
炭酸カルシウム、ケイ酸アルミニウムタルクおよびケイ酸マグネシウムタルク、アクリレート−スチレン共重合体、および高分子量および／または架橋ＰＶＣよりなる群から選択される一種以上のつや消し剤を含んでなることを特徴とする、請求項４に記載の成形材料。
【請求項９】
ポリエステル樹脂組成物７０〜７４重量％、ＡＢＳ成分２３〜２７重量％、ワックス２重量％、および植物油０．６重量％を含んでなることを特徴とする、請求項３に記載の成形材料。
【請求項１０】
ポリエステル樹脂組成物４９〜５２重量％、ＡＢＳ成分４６〜４８重量％、ワックス２重量％、および植物油０．６重量％を含んでなることを特徴とする、請求項３に記載の成形材料。
【請求項１１】
ポリエステル樹脂組成物３３〜３５重量％、ＡＢＳ成分６２〜６４重量％、ワックス２重量％、および植物油０．６重量％を含んでなることを特徴とする、請求項３に記載の成形材料。
【請求項１２】
ポリエステル樹脂組成物９２〜９４重量％、ワックス２重量％、およびつや消し剤４〜６重量％を含んでなることを特徴とする、請求項４に記載の成形材料。
【請求項１３】
ポリエステル樹脂組成物９５〜９７重量％、ワックス２重量％、およびつや消し剤１〜３重量％を含んでなる、請求項４に記載の成形材料。
【請求項１４】
請求項１〜１３のいずれか一項に記載の成形材料から製造されるフィルムであって、前記成形材料から、未延伸形態で厚さ１００μｍ〜１ｍｍに押出またはカレンダー加工され、必要に応じて、製法中イン−ラインまたはオフ−ライン工程で、フィルムウェブに対して縦方向および／または横方向に、伸度１．１〜７、特に３〜４で延伸されている、ことを特徴とする、フィルム。
【請求項１５】
前記延伸されたフィルムの厚さが１５〜８００μｍであることを特徴とする、請求項１４に記載のフィルム。
【請求項１６】
前記フィルムの厚さが２５〜６００μｍ、特に３５〜５００μｍであることを特徴とする、請求項１５に記載のフィルム。
【請求項１７】
ビカットA50軟化点が７８℃以上から１１５℃であることを特徴とする、請求項１５に記載のフィルム。
【請求項１８】
ビカットB50軟化点が７５℃以上から１００℃であることを特徴とする、請求項１５に記載のフィルム。
【請求項１９】
前記フィルムを水中に９５℃で３０秒間入れた後、室温で測定した横方向寸法変化が、−１５〜−６５％であることを特徴とする、請求項１５に記載のフィルム。
【請求項２０】
前記フィルムを水中に７５℃で３０秒間入れた後、室温で測定した横方向寸法変化が、−３〜−５０％であることを特徴とする、請求項１５に記載のフィルム。
【請求項２１】
フィルム温度を７５℃、フィルム厚さを３５μｍ、縦方向延伸ファクターを３．７としたときの収縮が、３〜５０％であることを特徴とする、請求項１５に記載のフィルム。
【請求項２２】
フィルム温度を９５℃、フィルム厚さを３５μｍ、縦方向延伸ファクターを３．７としたときの収縮が、１５〜６５％であることを特徴とする、請求項１５に記載のフィルム。
【請求項２３】
前記フィルムのエンボス安定性温度が１１５〜１７０℃であることを特徴とする、請求項１５に記載のフィルム。
【請求項２４】
成形材料からフィルムまたはフィルムウェブを製造する方法であって、
（ａ）成形材料の総重量に対して、３０〜９７重量％の、粉末、ペレットまたは顆粒の形態にあるポリエステル樹脂組成物と、１．５〜７０重量％の、つや消し剤、ワックス、ＡＢＳ成分よりなる群から選択される添加剤とを混合し、所望により植物油を添加する工程、
（ｂ）前記工程（ａ）において製造された成形材料を可塑化して溶融させる工程、
（ｃ）前記溶融した成形材料を押出またはカレンダー加工し、温度１５０〜２５０℃でフィルムまたはフィルムウェブを形成する工程、および所望により、
（ｄ）イン−ラインまたはオフ−ライン工程で、前記フィルムまたはフィルムウェブを伸度１．１〜７で延伸する工程、
を包含する、方法。
【請求項２５】
延伸する際の平均延伸温度またはフィルム温度が７０〜１４０℃であることを特徴とする、請求項２４に記載の方法。
【請求項２６】
前記工程（ａ）の成形材料が、混練機および／または混合ロールまたは押出機中で、約１３０〜２５０℃に予備ゲル化され、次いで押出またはカレンダー加工によりフィルムまたはフィルムウェブに成形される、ことを特徴とする、請求項２４に記載の方法。
【請求項２７】
請求項１４〜２３のいずれか一項に記載のフィルムの、包装フィルム、収縮フィルム、家具用フィルム、カードフィルムとしての使用。
【請求項２８】
請求項１〜１３のいずれか一項に記載の成形材料の、フィルム、フィルムウェブ、異形成形品、シート、成形品の製造への使用。